(57)【要約】【課題】プラテンユニットを前方に大きく引き出すために必要な移動スペースを可能な限り小さくすると共に、開閉蓋の開閉に伴う挟み込みを防止すること。【解決手段】  ロール紙プリンター１の開口部３を開閉する開閉蓋４は、６節リンク機構４２によって支持されたプラテンユニット３０に連結される。開閉蓋４は、プリンター本体フレーム３１の下端に回転可能に支持される下カバー３５と、プラテンユニット３０の前端に配置された記録紙排出ガイド５の後端下側に回転可能に支持される上カバー３６を、各カバーの回転軸線と直交する方向にスライド可能に連結している。プラテンユニット３０が直線状の第１移動軌跡Ｓ１および円弧状の第２移動軌跡Ｓ２に沿って移動するとき、開閉蓋４は、下カバー３５と上カバー３６がスライドして各カバーの回転中心軸線間の距離の変動に追従しながら、下端を支点として旋回する。【選択図】図９
2011143600.tif 000002
【特許請求の範囲】
【請求項１】
第１回転中心軸線を中心として旋回することにより閉じ位置と開き位置との間を移動可能な状態で装置本体に支持されている開閉蓋と、
当該開閉蓋に連結され、当該開閉蓋の開閉に連動して第１位置と第２位置の間を移動する移動部材とを有し、
前記開閉蓋の開閉に伴う前記開閉蓋と前記移動部材との連結点の移動軌跡は、前記開閉蓋が前記閉じ位置および前記開き位置の間で移動するときに、前記連結点と前記第１回転中心軸線との距離が変動するように設定されており、
前記開閉蓋は、
前記第１回転軸線を中心として回転可能な状態で前記装置本体に支持されている第１蓋部材と、
前記第１回転軸線と平行に延びると共に前記連結点を規定している第２回転軸線を中心として回転可能な状態で前記移動部材に支持されている第２蓋部材とを備え、
当該第２蓋部材は、
前記連結点と前記第１回転中心軸線との距離の変動に追従してスライド可能な状態で前記第１蓋部材に連結されていることを特徴とする開閉蓋構造。
【請求項２】
請求項１において、
前記第１蓋部材と前記第２蓋部材は、
前記第１蓋部材と前記装置本体との連結点から、前記第２蓋部材と前記移動部材との連結点に向かう直線方向に沿って延びており、当該直線方向に沿って延びている姿勢を維持しながら、前記第１回転軸線および前記第２回転軸線と直交するスライド方向にスライド可能に連結されていることを特徴とする開閉蓋構造。
【請求項３】
請求項１または２において、
前記第１蓋部材と前記第２蓋部材のうちの一方の側に、前記第２蓋部材のスライド方向に延びるスライド溝が設けられ、他方の側に、前記スライド溝に沿ってスライド可能なスライド部が形成されていることを特徴とする開閉蓋構造。
【請求項４】
請求項１ないし３のいずれかの項において、
前記開閉蓋が前記閉じ位置に移動したときに、前記第１蓋部材が前記第２蓋部材に完全に覆い隠された状態を形成することを特徴とする開閉蓋構造。
【請求項５】
請求項１ないし４のいずれかの項において、
前記装置本体は、
ロール紙収納部と、当該ロール紙収納部にロール紙を出し入れするための開口が設けられたプリンター本体であり、
前記移動部材は、
前記第１位置において前記プリンター本体に設けられた記録ヘッドと対峙し、前記第２位置において前記記録ヘッドから離れているプラテンユニットと、
当該プラテンユニットにおける前記第１位置から前記第２位置に向かう開き方向の前端部分に取り付けられ、前記第１位置において前記開口における一方の縁に沿って配置されている排紙ガイドを含み、
当該排紙ガイドに、前記第２蓋部材が前記第２回転軸線を中心として回転可能に支持されており、
前記開口における前記排紙ガイドと対峙する側の縁に、前記第１蓋部材が前記第１回転軸線を中心として回転可能に支持されていることを特徴とする開閉蓋構造。
【請求項６】
請求項１ないし５のいずれかの項において、
前記移動部材を、前記第１位置から第１移動軌跡に沿って前記第２位置に至る途中の途中位置までガイドするガイド機構と、
前記第１移動軌跡に沿って案内される前記移動部材を所定の姿勢に支持すると共に、前記途中位置から前記第２位置まで前記移動部材を所定の姿勢に支持した状態で円弧状の第２移動軌跡に沿って移動させる多節リンク機構とを有することを特徴とする開閉蓋構造。
【請求項７】
請求項６において、
前記多節リンク機構は、
第１リンクおよび第２リンクが第１ピン節点を介して直列に連結された構成の第１複合リンクと、第３リンクおよび第４リンクが第２ピン節点を介して直列に連結された構成の第２複合リンクと、前記第１複合リンクの前記第１ピン節点および前記第２複合リンクの前記第２ピン節点の間に架け渡されている第５リンクとを備え、
前記第１複合リンクの一端および前記第２複合リンクの一端は、前記移動部材の前記第１位置から前記第２位置に向かう開き方向に沿って見た場合に、所定の距離だけ離れた前後の定まった位置にある第３ピン節点および第４ピン節点に、それぞれ、連結されており、
前記第１複合リンクの他端および前記第２複合リンクの他端は、前記開き方向に沿って見た場合に、前記移動部材における所定の距離だけ離れた前後の部位に、それぞれ、第５ピン節点および第６ピン節点を介して連結されており、
前記移動部材が前記第２移動軌跡上にある状態において、前記第１複合リンクおよび前記第２複合リンクを伸び切った状態に保持する保持機構が設けられていることを特徴とする開閉蓋構造。
【請求項８】
プリンター本体に設けられたロール紙収納部と、
当該ロール紙収納部にロール紙を装填するために前記プリンター本体に設けられた開口と、
当該開口を開閉するために設けられた請求項１ないし７のいずれかの項に記載の開閉蓋構造とを有することを特徴とするロール紙プリンター。
【発明の詳細な説明】
【技術分野】
【０００１】
本発明は、装置本体に形成した開口を開閉するための開閉蓋構造に関し、さらに詳しくは、開閉蓋を開けるときに、リンク機構に搭載したプラテンユニットなどの移動部材を開閉蓋に連動して移動させ、ロール紙収納部などの装置内空間を開放することが可能な開閉蓋構造およびロール紙プリンターに関する。
【背景技術】
【０００２】
ロール紙プリンターでは、ロール紙の交換時にはロール紙収納部の開閉蓋を開き、ロール紙を交換すると共に、ロール紙から引き出した長尺状の記録紙を印刷ヘッドによる印刷位置を経由する搬送路にセットする必要がある。このような作業を容易に行うために、ロール紙収納部の開閉蓋を開けると、この開閉動作に連動して、ロール紙収納部の真上に位置しているプラテンユニットが印刷位置（プリンター本体側に搭載されている印刷ヘッドに対峙する位置）から離れた開き位置に移動して、記録紙搬送路を開放するように構成されている。
【０００３】
この種の開閉蓋構造は、特許文献１に開示されている。特許文献１のロール紙プリンターは、プラテンユニットを４節の平行リンク機構によって支持している。平行リンク機構における左右の前側リンクの間にはプリンター幅方向に延びる前板が架け渡されており、この前板および前側リンクに沿って開閉蓋ケースが配置されている。ロール紙収納部の真上に位置しているプラテンユニットは、平行リンク機構により、その姿勢を水平状態に維持したままプリンター前方に向けて円弧状の移動軌跡に沿って移動する。よって、プラテンユニットをその下側に収納されているロール紙などに干渉させることなく開閉蓋ケースの開閉に連動させて移動させることができる。
【０００４】
また、特許文献１のロール紙プリンターでは、プラテンユニットの前端部分に印刷済みの記録紙を排出するための排紙ガイドが設けられている。開閉蓋ケースの上端は、排紙ガイドの下にプリンター前後方向に回転可能な状態で取り付けられている。一方、開閉蓋ケースの下端は、プリンター本体の底板前端に回転可能に取り付けられている連結アームにスライドピンとスライド溝を介して連結されている。そして、連結アームが捻りコイルばねによって開閉蓋フレーム側に付勢されているため、開閉蓋ケースは開閉蓋フレーム（平行リンク機構の前側リンクおよび前板）に沿った姿勢に保持されている。平行リンク機構が前側に倒れるときには、排紙ガイドに吊り下がっている開閉蓋ケースが開閉蓋フレームに沿って相対的に上方へ移動するので、開閉蓋ケースの上端と排紙ガイドとの間の隙間が拡がらない構成となっている。
【先行技術文献】
【特許文献】
【０００５】
【特許文献１】特開２００９−１８４２４８号公報
【発明の概要】
【発明が解決しようとする課題】
【０００６】
特許文献１のように、４節の平行リンク機構によりプラテンユニットを支持させると、各リンクがプリンター前方側に倒れるのに伴ってプラテンユニットが円弧状の移動軌跡に沿って移動し、このときのプラテンユニットの移動軌跡を変えることはできない。従って、プラテンユニットがロール紙収納部の上を通り過ぎるまでの移動区間において、プラテンユニットの下端がロール紙収納部に収納されているロール紙に干渉しないようにするためには、予め、この移動区間におけるプラテンユニットの降下量以上の隙間を、収納されたロール紙とプラテンとの間に確保するように、プラテンユニットの設置高さを設定する必要がある。このため、プリンターの高さ寸法を十分小さくすることができないという問題点がある。
【０００７】
ここで、開閉蓋を開け閉めするときのプラテンユニットの移動に必要なスペースを可能な限り小さくするためには、６節リンク機構などの多節リンク機構を用いてプラテンユニットの移動軌跡の自由度を大きくし、プラテンユニットがロール紙収納部の上を通り過ぎるまでの移動区間においてはプラテンユニットを水平な移動軌跡に沿って移動させ、プラテンユニットがロール紙収納部の上を通り過ぎた後は多節リンク機構の節点を拘束して多節リンク機構を平行リンク機構として動かし、プラテンユニットを円弧状の移動軌跡によって安定して移動させる構成を採用することが考えられる。図１１は多節リンク機構（６節リンク機構）を用いたプラテン支持機構の模式図であり、図１１（ａ）はプラテンユニットが閉じ位置（水平の移動軌跡Ｓ１の前端）にある状態、図１１（ｂ）はプラテンユニットが途中位置（水平の移動軌跡Ｓ１と円弧状の移動軌跡Ｓ２が接続する位置）にある状態、図１１（ｃ）はプラテンユニットが開き位置（円弧状の移動軌跡Ｓ２の後端）にある状態である。図１１（ａ）〜（ｃ）において、１００はプラテンユニット、２００は６節リンク機構である。
【０００８】
しかしながら、６節リンク機構を用いて図１１（ａ）から図１１（ｂ）に示すようにプラテンユニット１００を移動させるときには、６節リンク機構２００の各複合リンクが屈曲状態から伸長状態に変化しながら移動する。このため、特許文献１のような開閉蓋ケースの支持構造では、プラテンユニットに連動させて下端を回転中心として開閉蓋ケースを傾けて開閉することができない。また、特許文献１のような開閉蓋ケースの支持構造では、開閉蓋ケースの上端側には隙間が発生しないものの、開閉蓋ケースの下端側の隙間が前リンクの屈伸運動に伴って開閉中に変動し、挟み込みが発生するおそれがある。更に、特許文献１のように捻りコイルばねなどを用いて開閉蓋ケースを開閉蓋フレーム側に付勢することによって開閉蓋ケースの姿勢を維持させると、構成が複雑で部品点数が多くなる。
【０００９】
本発明の課題は、以上のような点に鑑みて、開閉蓋に連動して移動するプラテンユニットの移動に必要なスペースを可能な限り小さくできると共に、開閉蓋の開閉によって挟み込みが発生するのを抑制できる簡素な構成の開閉蓋構造、および、このような開閉蓋構造を有するロール紙プリンターを提案することにある。
【課題を解決するための手段】
【００１０】
上記の課題を解決するために、本発明の開閉蓋構造は、
第１回転中心軸線を中心として旋回することにより閉じ位置と開き位置との間を移動可能な状態で装置本体に支持されている開閉蓋と、
当該開閉蓋に連結され、当該開閉蓋の開閉に連動して第１位置と第２位置の間を移動する移動部材とを有し、
前記開閉蓋の開閉に伴う前記開閉蓋と前記移動部材との連結点の移動軌跡は、前記開閉蓋が前記閉じ位置および前記開き位置の間で移動するときに、前記連結点と前記第１回転中心軸線との距離が変動するように設定されており、
前記開閉蓋は、
前記第１回転軸線を中心として回転可能な状態で前記装置本体に支持されている第１蓋部材と、
前記第１回転軸線と平行に延びると共に前記連結点を規定している第２回転軸線を中心として回転可能な状態で前記移動部材に支持されている第２蓋部材とを備え、
当該第２蓋部材は、
前記連結点と前記第１回転中心軸線との距離の変動に追従してスライド可能な状態で前記第１蓋部材に連結されていることを特徴としている。
【００１１】
本発明では、このように、開閉蓋を構成している第１蓋部材と第２蓋部材をスライド可能に連結したことにより、開閉蓋が開閉するときに、開閉蓋と移動部材との連結点から開閉蓋の開閉支点（第１回転軸線）までの距離の変動に追従させて第１蓋部材と第２蓋部材をスライドさせて開閉蓋を伸縮させることができる。これにより、開閉蓋と移動部材との連結点の移動軌跡を任意の移動軌跡に設定できるようになるので、移動部材の移動軌跡を装置の小型化に適した軌跡に設定できる。また、開閉蓋を伸縮させることにより、開閉蓋と装置本あるいは移動部材との間に隙間を発生させないようにすることができる。よって、開閉蓋の開け閉めの際の挟み込みを抑制することができる。
【００１２】
本発明において、前記第１蓋部材と前記第２蓋部材は、前記第１蓋部材と前記装置本体との連結点から、前記第２蓋部材と前記移動部材との連結点に向かう直線方向に沿って延びており、当該直線方向に沿って延びている姿勢を維持しながら、前記第１回転軸線および前記第２回転軸線と直交するスライド方向にスライド可能に連結されていることが望ましい。このように、前記第１蓋部材と前記第２蓋部材を直線形状に連結した状態でスライドさせることにより、開閉蓋が開閉動作の際に他部材と干渉しにくくなり、開閉蓋の開き角度を大きく設定することができる。
【００１３】
本発明において、前記第１蓋部材と前記第２蓋部材のうちの一方の側に、前記第２蓋部材のスライド方向に延びるスライド溝が設けられ、他方の側に、前記スライド溝に沿ってスライド可能なスライド部を形成した構成とすることができる。これにより、第１蓋部材と第２蓋部材をスライド可能に連結できる。
【００１４】
このとき、前記開閉蓋が前記閉じ位置に移動したときに、前記第１蓋部材が前記第２蓋部材に完全に覆い隠された状態を形成することができる。本発明では、このような構成により、閉じ位置に移動した開閉蓋の外観が１枚のカバーのみで構成されたものとなる。よって、開閉蓋を閉じた状態における装置の外観が良好である。
【００１５】
また、本発明において、前記装置本体は、ロール紙収納部と、当該ロール紙収納部にロール紙を出し入れするための開口が設けられたプリンター本体であり、前記移動部材は、前記第１位置において前記プリンター本体に設けられた記録ヘッドと対峙し、前記第２位置において前記記録ヘッドから離れているプラテンユニットと、当該プラテンユニットにおける前記第１位置から前記第２位置に向かう開き方向の前端部分に取り付けられ、前記第１位置において前記開口における一方の縁に沿って配置されている排紙ガイドを含み、当該排紙ガイドに、前記第２蓋部材が前記第２回転軸線を中心として回転可能に支持されており、前記開口における前記排紙ガイドと対峙する側の縁に、前記第１蓋部材が前記第１回転軸線を中心として回転可能に支持された構成とすることができる。このように、本発明では、プラテンユニットの先端に取り付けた排紙ガイドに開閉蓋の第２蓋部材が回転可能に支持されているので、排紙ガイドの下の開口を開閉蓋によって開閉することができる。また、このとき、開閉時に第２蓋部材と排紙ガイドの間に隙間が形成されない。よって、排紙ガイドを手前に引いて開閉蓋を開ける動作や、排紙ガイドを持ち上げて開閉蓋を閉める動作において、開閉蓋と排紙ガイドとの間に物が挟みこまれるのを防止することができる。
【００１６】
本発明において、前記移動部材を、前記第１位置から第１移動軌跡に沿って前記第２位置に至る途中の途中位置までガイドするガイド機構と、前記第１移動軌跡に沿って案内される前記移動部材を所定の姿勢に支持すると共に、前記途中位置から前記第２位置まで前記移動部材を所定の姿勢に支持した状態で円弧状の第２移動軌跡に沿って移動させる多節リンク機構とを有する構成とすることができる。このようなガイド機構と多節リンク機構を設けることにより、設定した移動軌跡に沿って移動部材を移動させることができる。
【００１７】
このとき、前記多節リンク機構は、第１リンクおよび第２リンクが第１ピン節点を介して直列に連結された構成の第１複合リンクと、第３リンクおよび第４リンクが第２ピン節点を介して直列に連結された構成の第２複合リンクと、前記第１複合リンクの前記第１ピン節点および前記第２複合リンクの前記第２ピン節点の間に架け渡されている第５リンクとを備え、前記第１複合リンクの一端および前記第２複合リンクの一端は、前記移動部材の前記第１位置から前記第２位置に向かう開き方向に沿って見た場合に、所定の距離だけ離れた前後の定まった位置にある第３ピン節点および第４ピン節点に、それぞれ、連結されており、前記第１複合リンクの他端および前記第２複合リンクの他端は、前記開き方向に沿って見た場合に、前記移動部材における所定の距離だけ離れた前後の部位に、それぞれ、第５ピン節点および第６ピン節点を介して連結されており、前記移動部材が前記第２移動軌跡上にある状態において、前記第１複合リンクおよび前記第２複合リンクを伸び切った状態に保持する保持機構が設けられている。本発明では、このように、６節リンク機構を用いて移動部材を支持しているので、ガイド機構によって規定された第１移動軌跡に沿って移動部材を移動させることができる。よって、移動部材の移動軌跡を装置の小型化に適した軌跡に設定できる。また、保持機構によって６節リンク機構を４節の平行リンク機構として動かすことができるので、移動部材を円弧状の第２移動軌跡に沿って移動させることができ、このとき、移動部材を安定して支持することができる。
【００１８】
次に、本発明のロール紙プリンターは、
プリンター本体に設けられたロール紙収納部と、
当該ロール紙収納部にロール紙を装填するために前記プリンター本体に設けられた開口と、
当該開口を開閉するために設けられた上記の開閉蓋構造とを有することを特徴としている。
【００１９】
このような構成のロール紙プリンターは、プラテンユニットなどの移動部材を例えばプリンター前方に延びる直線状の第１移動軌跡に沿ってロール紙収納部の上から前方に外れるまで移動させ、しかる後に移動部材を円弧状の第２移動軌跡に沿って移動させるように構成することができるので、ロール紙収納部の上方に、移動用の大きな隙間を形成しておく必要がなくなる。よって、ロール紙プリンターの高さ寸法を小さくすることができ、小型化に有利である。また、このような移動軌跡を設定した場合に、この移動軌跡に追従させてロール紙収納部を開閉するための開閉蓋を伸縮させることができる。よって、開閉蓋を直線状態に維持したままで旋回させて開閉することができ、このとき、開閉蓋の開閉に伴って装置本体や移動部材との間に隙間を発生させないようにすることができる。よって、開閉蓋の開け閉めの際の挟み込みを抑制することができる。
【発明の効果】
【００２０】
本発明によれば、開閉蓋を構成している第１蓋部材と第２蓋部材をスライド可能に連結したことにより、開閉蓋が開閉するときに、開閉蓋と移動部材との連結点から開閉蓋の開閉支点（第１回転軸線）までの距離の変動に追従させて第１蓋部材と第２蓋部材をスライドさせて開閉蓋を伸縮させることができる。これにより、開閉蓋と移動部材との連結点の移動軌跡を任意の移動軌跡に設定できるようになるので、移動部材の移動軌跡を装置の小型化に適した軌跡に設定できる。また、開閉蓋を伸縮させることにより、開閉蓋と装置本あるいは移動部材との間に隙間を発生させないようにすることができる。よって、開閉蓋の開け閉めの際の挟み込みを抑制することができる。
【図面の簡単な説明】
【００２１】
【図１】本発明を適用したロール紙プリンターを示す外観斜視図である。
【図２】図１のロール紙プリンターの開閉蓋を開けた状態の外観斜視図である。
【図３】図１のロール紙プリンターの内部構造を示す概略縦断面図である。
【図４】図１のロール紙プリンターの開閉蓋を開けた状態の概略縦断面図である。
【図５】記録紙排出ガイドおよび開閉蓋の斜視図である。
【図６】閉じ位置にあるプラテンユニットおよび開閉蓋を示す説明図である。
【図７】開き始めの状態のプラテンユニットおよび開閉蓋を示す説明図である。
【図８】途中位置まで開いた状態のプラテンユニットおよび開閉蓋を示す説明図である。
【図９】開き位置の手前まで開いた状態のプラテンユニットおよび開閉蓋を示す説明図である。
【図１０】開き位置にあるプラテンユニットおよび開閉蓋を示す説明図である。
【図１１】６節リンク機構を用いたプラテン支持機構の模式図である。
【発明を実施するための形態】
【００２２】
以下に、図面を参照して、本発明をインクジェット式のロール紙プリンターに適用した実施の形態を説明する。
【００２３】
（ロール紙プリンターの全体構成）
図１は本発明を適用したロール紙プリンターを示す外観斜視図であり、図２は開閉蓋を開けた状態の外観斜視図である。本実施形態のロール紙プリンター１は、ロール紙から繰り出される長尺状の記録紙に印刷を行うものであり、全体として直方体形状をしたプリンターケース２を備え、このプリンターケース２の前面中央部分にはロール紙装着用の開口部３が形成されている。開口部３には開閉蓋４が取り付けられており、開閉蓋４の上端には記録紙排出ガイド５が配置されている。記録紙排出ガイド５とプリンターケース２の開口部３の上縁部分との間に記録紙排出口６が形成されている。
【００２４】
記録紙排出ガイド５の前端下側の部位には、プリンター幅方向の中央部に下方に突出した操作片５ａが取り付けられている。この操作片５ａに指を掛けてプリンター前方に引くと、当該操作片５ａが前方に回動して不図示のロックが解除され、開閉蓋４をプリンター前方に開けることが可能になる。この状態で操作片５ａを更に手前に引くと、開閉蓋４をプリンターケース２の前面に沿って起立している閉じ位置４Ａ（図１、図３参照）から、下端を中心として前方に倒れた開き位置４Ｂ（図４参照）まで開けることができる。開閉蓋４が開くと、プリンター本体内部に形成されているロール紙収納部７が開口し、ロール紙の交換作業などを行うことができる。
【００２５】
プリンターケース２の前面における開閉蓋４の右側部分には電源スイッチ８ａや紙送りスイッチ、あるいは複数個の動作状態表示ランプ８ｂなどが配列されている。プリンターケース２の前面における開閉蓋４の左側部分には、プリンター前後方向に延びる縦長の長方形断面のインクカートリッジ装着部９の装着口が開口しており、このインクカートリッジ装着部９にインクカートリッジ１０が装着されている。
【００２６】
（内部構造）
図３はロール紙プリンター１の内部構造を示す縦断面図であり、図４は開閉蓋４を開いた状態の縦断面図である。これらの図を参照して説明すると、ロール紙収納部７は上方に開口している湾曲状断面のロール紙受け皿１１を備えており、ここに、ロール紙１２が転動可能な状態で収納される。ロール紙１２におけるプリンター後側の部位から繰り出される長尺状の記録紙１３は、繰り出しローラー１４および、これよりもプリンター後方および上方に位置しているテンションローラー１５を介して、ロール紙収納部７の上方および後方側の部位からプリンター前方に向けて引き出される。テンションローラー１５から前方に向けて引き出される記録紙１３は、ロール紙収納部７の真上に位置するプラテン１６の上面に沿って前方に引き出され、記録紙排出口６からプリンター前方に引き出される。
【００２７】
プラテン１６の真上には、印刷ヘッド１７（インクジェットヘッド）が搭載されたヘッドキャリッジ１８がガイド軸１９に沿ってプリンター幅方向に往復移動可能な状態に配置されている。印刷ヘッド１７のノズル面１７ａは一定のギャップでプラテン１６の上面に対峙するようになっている。プラテン１６の後側には、紙送り駆動ローラー２０が配置されており、この紙送り駆動ローラー２０には、紙送り従動ローラー２１が下側から圧接されている。プラテン１６の前側には、排紙駆動ローラー２２が配置されており、この排紙駆動ローラー２２には上側から排紙従動ローラー２３が圧接されている。
【００２８】
記録紙１３は、紙送り駆動ローラー２０および紙送り従動ローラー２１の間を通ってプラテン１６の上面によって規定される印刷位置を経由して搬送され、排紙駆動ローラー２２および排紙従動ローラー２３の間を通って記録紙排出口６に向けて送り出される。印刷位置を通る記録紙１３の表面に、印刷ヘッド１７によって印刷が施される。排紙駆動ローラー２２、排紙従動ローラー２３の間から送り出された記録紙１３は、記録紙排出口６の近傍に配置されている記録紙切断機構２５の固定刃２５ａおよび可動刃２５ｂの間の位置において、その幅方向に切断される。切断により得られた一定長さの記録紙片（図示せず）がレシートなどとして発行される。
【００２９】
（プラテンユニット）
図４から分かるように、プラテン１６、紙送り従動ローラー２１、排紙駆動ローラー２２、並びに、記録紙切断機構２５の可動刃２５ｂおよび駆動機構は、プラテンフレーム２６に搭載されて、一体となって移動するプラテンユニット３０を構成している。また、プラテンユニット３０の後端にはテンションローラー１５が搭載されており、その前端には記録紙排出ガイド５（排紙ガイド）が取り付けられている。プラテンユニット３０は、通常は、プラテン１６が印刷ヘッド１７による印刷位置を規定している状態の位置、すなわち、図３に示すプラテン閉じ位置３０Ａ（第１位置）に位置している。
【００３０】
不図示のロックを解除して記録紙排出ガイド５の操作片５ａを手前に引くと、プラテンユニット３０を図４に示すプラテン開き位置３０Ｂ（第２位置）まで引き出すことができる。本例では、後述のように、プラテンユニット３０はプラテン閉じ位置３０Ａからプリンター前方に向けて直線状の第１移動軌跡Ｓ１に沿って引き出されて、しかる後に、円弧状の第２移動軌跡Ｓ２に沿って前方および下方に移動してプラテン開き位置３０Ｂに至る。プラテンユニット３０を開くと、ロール紙収納部７から記録紙排出口６に至る記録紙搬送路が開放状態に切り替わり、ロール紙交換作業などを簡単に行うことができる。
【００３１】
開閉蓋４はプラテンユニット３０に連結されており、プラテンユニット３０が手前に引き出されると、開閉蓋４はその下端を中心として手前に開くようになっている。さらに、本例では、ロール紙収納部７のロール紙受け皿１１も、図４に示すように、プリンター前方に所定の角度だけ前傾した姿勢の位置まで旋回するようになっている。
【００３２】
（開閉蓋構造）
本例では、ロール紙プリンター１のプリンター本体フレーム３１は板金製の部材から構成されており、図２に示すように、底板３２と、ロール紙収納部７の左右の内壁面を構成している内側側板３３、３４を備えている。内側側板３３、３４の下端部の間には、開閉蓋４の下端部分が架け渡されている。この開閉蓋４は、左右の内側側板３３、３４の側に取り付けられている下カバー３５（第１蓋部材）と、プラテンユニット３０の前端に配置された記録紙排出ガイド５の後端下側に取り付けられている上カバー３６（第２蓋部材）とを備えている。上カバー３６は、その下端側の部分が下カバー３５の上端側の部分の前面側に重なっており、重なり部分が相対的にスライド可能となるように連結されている。
【００３３】
図５は記録紙排出ガイドおよび開閉蓋の斜視図である。図５に示すように、下カバー３５は、長方形の平坦な前板部３５ａの左右の側端を折り曲げて側板部３５ｂ、３５ｃを形成した浅い溝形断面の板金部材である。側板部３５ｂ、３５ｃの下端には支持ピン３５ｄ、３５ｅが形成されている。支持ピン３５ｄ、３５ｅは、内側側板３３、３４の各下端部に形成された支持孔に回転可能に連結されている。これにより、下カバー３５は、底板３２の前端に沿ってプリンター幅方向に延びている第１回転中心軸線Ａを中心として、プリンター本体フレーム３１に対して回転可能に取り付けられている。下カバー３５における側板部３５ｂ、３５ｃの上端寄りの位置には、側板部３５ｂにおける左側面から左向きに突出するスライド部３７ａと、側板部３５ｃにおける右側面から右向きに突出するスライド部３７ｂが形成されている。
【００３４】
上カバー３６はプリンターケース２と同一素材によって形成された樹脂製部材である。上カバー３６は長方形の前板部３６ａを備えており、前板部３６ａの下カバー３５側の面の左右の側端に沿って、前板部３６ａの幅方向中央に向かって開口するスライド溝３８ａ、３８ｂが形成されている。下カバー３５と上カバー３６は、幅方向の中央を同一の基準線Ｂ上に位置合わせした状態で、少なくとも下カバー３５の上端部分と上カバー３６の下端部分とが重なり合っている。このとき、スライド溝３８ａ、３８ｂは基準線Ｂの方向に平行に延びている。また、スライド部３７ａ、３７ｂはいずれも基準線Ｂの方向に所定長さで延びており、スライド溝３８ａ、３８ｂに内接している。
【００３５】
このような構成により、下カバー３５と上カバー３６は、プリンターの左側面あるいは右側面から見て直線状態となるように連結されている。また、スライド溝３８ａ、３８ｂに沿ってスライド部３７ａ、３７ｂを摺動させることにより、基準線Ｂの方向に沿って直線的にスライド可能となっている。このとき、下カバー３５と上カバー３６は、プリンターの左側面あるいは右側面から見て直線状態となっている状態を維持したままでスライド可能である。
【００３６】
上カバー３６における前板部３６ａの上端縁の左端および右端には、上向きに突出する取付部３６ｂ、３６ｃが形成されている。一方、記録紙排出ガイド５の後端下側の部位には、第１回転中心軸線Ａと平行な第２回転中心軸線Ｃを中心として延びている回転軸３９が設けられている。取付部３６ｂ、３６ｃは、この回転軸３９に回転可能に連結されている。これにより、上カバー３６は、その上端を回転中心としてプリンター前後方向に回転可能な状態で、記録紙排出ガイド５の後端下側に吊り下げられた状態となっている。
【００３７】
開閉蓋４は、基準線Ｂの方向（下カバー３５と上カバー３６のスライド方向）を第１回転中心軸線Ａおよび第２回転中心軸線Ｃと直交させて配置されており、この状態で、下カバー３５の下端縁が第１回転中心軸線Ａを中心として開口部３の下縁部分に回転可能に連結され、且つ、上カバー３６の上端縁が第２回転中心軸線Ｃを中心として記録紙排出ガイド５の後端下側に回転可能に連結された状態となっている。すなわち、開閉蓋４は、開口部３の下縁部分と記録紙排出ガイド５の下端とを結ぶ直線方向、言い換えれば、開閉蓋４とプリンター本体フレーム３１との連結点から、開閉蓋４とプラテンユニット３０との連結点まで延びている直線方向に沿って、直線状態を維持したままで伸縮可能に構成されている。
【００３８】
（プラテン支持機構）
次に、プラテンユニット３０を開閉蓋４と共にプラテン閉じ位置３０Ａからプラテン開き位置３０Ｂまでの間を移動可能な状態で支持しているプラテン支持機構を説明する。プラテン支持機構は６節リンク機構を中心に構成されている。
【００３９】
図６〜図１０はプラテン支持機構によって支持されているプラテンユニットおよび開閉蓋の右側面図である。本例のプラテン支持機構４０は、ロール紙プリンター１の右側面の側に配置された右側プラテン支持機構と、左側面の側に配置された左側プラテン支持機構とを備えている。ここでは、図６〜図１０を参照してプラテン支持機構（右側プラテン支持機構）の基本構造について説明する。左側プラテン支持機構は右側プラテン支持機構と左右対称の状態に構成されており、基本構造は右側プラテン支持機構と同一である。
【００４０】
プラテン支持機構４０（右側プラテン支持機構）は、プラテンユニット３０を、プラテン閉じ位置３０Ａ（図３に示す位置）から第１移動軌跡Ｓ１に沿ってプラテン開き位置３０Ｂ（図４に示す位置）に至る途中の途中位置まで案内するガイド機構４１と、第１移動軌跡Ｓ１に沿って案内されるプラテンユニット３０を所定の姿勢に維持すると共に、途中位置からプラテン開き位置３０Ｂまでプラテンユニット３０を所定の姿勢に維持した状態で円弧状の第２移動軌跡Ｓ２に沿って移動させる６節リンク機構４２とを有している。
【００４１】
ガイド機構４１は、プラテンユニット３０をプラテン閉じ位置３０Ａからプリンター前方に向けて直線状の第１移動軌跡Ｓ１に沿って案内するためのプラテンユニットガイド溝４３を備えている。プラテンユニットガイド溝４３は右側の内側側板３４において、その前端縁から一定の幅でプリンター後方に所定の長さに渡って切り込むことにより形成した溝である。本例のプラテンユニットガイド溝４３は、そのプリンター後端側の部分が一段高い位置決め用ガイド溝部分４３ａとなっており、この位置決め用ガイド溝部分４３ａからプリンター前方に向けて直線状ガイド溝部分４３ｂが形成されており、その前端には、その下側のガイド面に連続した下方に所定の角度で傾斜した傾斜ガイド面４３ｃが連続している。
【００４２】
また、ガイド機構４１は、プラテンユニット３０の後ろ側の部位においてプリンター幅方向に架け渡した支軸４４を備えている。支軸４４の軸端部４４ａはプラテンユニット３０からプリンター幅方向に突出しており、内側側板３４に形成されているプラテンユニットガイド溝４３にスライド可能な状態で差し込まれている。したがって、プラテンユニット３０を手前に引き出すと、当該プラテンユニット３０はプラテンユニットガイド溝４３に沿って移動する。
【００４３】
次に、６節リンク機構４２は、第１リンク５１および第２リンク５２が第１ピン節点６１を介して直列に連結された構成の第１複合リンク７１と、第３リンク５３および第４リンク５４が第２ピン節点６２を介して直列に連結された構成の第２複合リンク７２と、第１複合リンク７１の第１ピン節点６１および第２複合リンク７２の第２ピン節点６２の間に架け渡されている第５リンク５５とを備えている。第２複合リンク７２は第１複合リンク７１に対してプリンター後方側に離れて位置している。
【００４４】
すなわち、第１複合リンク７１の下端および第２複合リンク７２の下端は、それぞれ、プリンター前後方向（プラテンユニット３０の開き方向）に沿って見た場合に、一定の距離だけ離れた前後の定まった位置にある第３ピン節点６３および第４ピン節点６４に連結されている。第３、第４ピン節点６３、６４は、内側側板３４あるいは底板３２にプリンター幅方向に延びる状態に取り付けた支軸ピンによって規定されている。
【００４５】
同様に、第１複合リンク７１の上端および第２複合リンク７２の上端は、それぞれ、所定の距離だけプリンター前後方向に離れたプラテンユニット３０の側面の部位に、第５ピン節点６５および第６ピン節点６６を介して連結されている。後側の第６ピン節点６６は、プラテンユニットガイド溝４３に沿ってスライド可能な支軸４４の軸端部４４ａによってその回動中心が規定されている。このように、第１〜第５リンク５１〜５５と、プラテンユニット３０とによって、６節リンク機構４２が構成されている。
【００４６】
ここで、６節リンク機構４２においては、プラテン閉じ位置３０Ａに位置するプラテンユニット３０を支持している前後の第１複合リンク７１および第２複合リンク７２が、前方に屈曲した状態となっている。すなわち、第１複合リンク７１の第１リンク５１と第２リンク５２は、それらの連結点である第１ピン節点６１がプリンター前方に突出した状態に折れ曲がっている。同様に、後側の第２複合リンク７２の第３リンク５３と第４リンク５４は、それらの連結点である第２ピン節点６２がプリンター前方に突出した状態に折れ曲がっている。
【００４７】
折れ曲がった状態の前側の第１複合リンク７１と後側の第２複合リンク７２の間は第５リンク５５によって連結されている。したがって、プラテンユニット３０がプラテンユニットガイド溝４３に案内されて前方にスライドする間、すなわち、６節リンク機構４２に第６ピン節点６６（軸端部４４ａ）の高さ位置がプラテンユニットガイド溝４３によって規定されている間は、プラテンユニット３０はその姿勢が一定の状態に保持されたまま前方にスライドする。
【００４８】
また、プラテンユニット３０が前方にスライドするに連れて、前後の複合リンク７１、７２が徐々に伸びるように設定されている。さらに、前後の複合リンク７１、７２のリンク長、すなわち、折れ曲がり状態が解消されて伸び切った状態における長さが同一とされている。換言すると、伸び切った状態における第１複合リンク７１の上下の第５ピン節点６５と第３ピン節点６３の最大間隔と、伸長状態における後側の第２複合リンク７２の上下の第６ピン節点６６と第４ピン節点６４の最大間隔とが同一に設定されている。さらには、第２複合リンク７２の上端の第６ピン節点６６を規定している支軸４４の軸端部４４ａがプラテンユニットガイド溝４３の直線状ガイド溝部分４３ｂの前端から傾斜ガイド面４３ｃに移る時点（プラテン閉じ位置３０Ａからプラテン開き位置３０Ｂの間の途中位置）において、前後の複合リンク７１、７２が伸びきった状態になるように設定されている。
【００４９】
ここで、前側の第１複合リンク７１において、その第１リンク５１および第２リンク５２は、それらが直線状に伸び切った後は相互に係合状態になり、反対側に屈曲しないように構成されている。したがって、複合リンク７１、７２が伸び切った後は、これらの複合リンク７１、７２と、プラテンユニット３０とによって、４節の平行リンク機構が構成された状態になる。よって、この後は、プラテンユニット３０は、前後の複合リンク７１、７２のリンク長によって規定される円弧状の第２移動軌跡Ｓ２に沿ってプラテン開き位置３０Ｂまで一定の姿勢を維持したまま倒れることになる。
【００５０】
（プラテンユニットおよび開閉蓋の開閉動作）
図６に示すように、プラテンユニット３０がプラテン閉じ位置３０Ａにある状態では、プラテンユニット３０の後ろ側に取り付けられている支軸４４の軸端部４４ａがプラテンユニットガイド溝４３における後端部の位置決め用ガイド溝部分４３ａに位置している。この状態では、プラテンユニット３０に搭載されている紙送り従動ローラー２１および排紙駆動ローラー２２がそれぞれプリンター本体側の紙送り駆動ローラー２０および排紙従動ローラー２３に圧接された状態が形成されている。また、プラテンユニット３０に搭載されているプラテン１６は印刷ヘッド１７のノズル面１７ａに一定のギャップで対峙する位置に位置決めされている。また、この状態では、６節リンク機構４２の前後の複合リンク７１、７２が前側に折れ曲がってリンク長が縮んだ状態にある。
【００５１】
このとき、開閉蓋４は、閉じ位置４Ａにおいて、プリンターケース２の開口部３の上縁部分に移動した記録紙排出ガイド５と開口部３の下縁部分との間に起立した状態となっている。本例では、前側に折れ曲がった状態の複合リンク７１と閉じ位置４Ａにある開閉蓋４が干渉しないように６節リンク機構４２を設置している。また、閉じ位置４Ａでは、下カバー３５と上カバー３６の重なり量が最も大きく、閉じ位置４Ａにおいて下カバー３５が上カバー３６に完全に覆われた状態を形成するように、下カバー３５と上カバー３６の寸法を設定している。
【００５２】
プラテンユニット３０の前端に取り付けられている記録紙排出ガイド５の操作片５ａを手前に回動させてロックを解除した後に当該操作片５ａを手間に引くと、プラテンユニット３０がプラテンユニットガイド溝４３に沿ってプリンター前方に引き出される。プラテンユニット３０の軸端部４４ａが後端の位置決め用ガイド溝部分４３ａから前側の一段低い直線状ガイド溝部分４３ｂに移動すると、プラテンユニット３０が全体として一段下がり、紙送り従動ローラー２１、排紙駆動ローラー２２がそれぞれプリンター本体側の紙送り駆動ローラー２０、排紙従動ローラー２３から下方に離れる。
【００５３】
また、このとき、記録紙排出ガイド５がプラテンユニット３０と共にプリンター前方側に引き出されるのにつれて第１回転中心軸線Ａと第２回転中心軸線Ｃとの距離が拡がり、これに伴って上カバー３６の下端縁から下カバー３５が徐々に引き出されながら、開閉蓋４が全体として直線状態を維持したままで手前側に傾いてゆく。
【００５４】
図７はこの状態のプラテンユニットおよび開閉蓋を示す説明図である。この後は、プラテンユニット３０は、直線状ガイド溝部分４３ｂに沿って前方に直線状に引き出される。プラテンユニット３０は一段低い位置を６節リンク機構４２によって姿勢が保持された状態で前方に移動するので、上側に配置されているプリンター本体側の各部品に干渉することなく前方に引き出される。また、下側に収納されているロール紙１２にも干渉することなく前方に引き出される。
【００５５】
このように、プラテンユニット３０は、その前端の操作片５ａに加わる操作力の作用方向に向けて直線状に引き出される。４節の平行リンク機構によって支持されているプラテンユニットの場合には円弧状の軌跡によって引き出されるので、操作力の方向とプラテンユニットの移動方向が一致せず、プラテンユニットをスムーズに引き出すことができない。本例では、リンク機構に拘束されることなく、直線状ガイド溝部分４３ｂに沿ってプラテンユニット３０をスムーズに小さな操作力で引き出すことができる。
【００５６】
なお、本例では直線状の第１移動軌跡Ｓ１（例えば、後ろ側の軸端部４４ａ、第６ピン節点６６の描く軌跡）に沿ってプラテンユニット３０を引き出すようにしているが、第１移動軌跡Ｓ１は６節リンク機構４２による制約がないので、操作性に問題が無い限り、直線状に限らず、円弧状の移動軌跡、段状の移動軌跡など、複合リンク７１、７２が伸長可能は高さの範囲内において任意の移動軌跡に沿ってプラテンユニット３０を引き出すことができるという利点がある。また、プラテンユニット３０の移動軌跡を上記の第１移動軌跡Ｓ１および第２移動軌跡Ｓ２とは異なる任意の移動軌跡に設定した場合に、この移動軌跡を実現可能な他の多節リンク機構を用いてプラテン支持機構４０を構成することもできる。
【００５７】
また、上記のように任意の移動軌跡の移動軌跡を採用したことに伴い、第１回転中心軸線Ａと第２回転中心軸線Ｃとの距離がプラテンユニット３０の移動中に変動する場合があるが、本例では、この距離の変動に追従して下カバー３５と上カバー３６を相対的にスライドさせて開閉蓋４を伸縮させることができる。すなわち、採用する移動軌跡に対応させて下カバー３５と上カバー３６の部材寸法やスライド可能範囲を適宜設定しておくことにより、採用する移動軌跡に追従しつつ、下端を中心として開閉蓋４を旋回させて開閉できるようにすることができる。そして、これにより、開閉蓋４の上端と記録紙排出ガイド５との間に隙間を形成せず、開閉蓋４の下端と開口部３の下縁部分との間にも隙間を形成しないようにすることができる。
【００５８】
プラテンユニット３０が前方に引き出されるのに伴って、折り曲げ状態の前後の複合リンク７１、７２が徐々に上下に引き伸ばされる。先に述べたように、プラテンユニット３０の後側の支軸４４の軸端部４４ａがプラテンユニットガイド溝４３の直線状ガイド溝部分４３ｂの前端に至ると、前後の複合リンク７１、７２が伸び切った状態（最大のリンク長）になる。図８はこの状態（途中位置まで開いた状態）のプラテン支持機構および開閉蓋を示す説明図である。軸端部４４ａが直線状ガイド溝部分４３ｂの前端から円弧状の傾斜ガイド面４３ｃに移る時点までは直線状の第１移動軌跡Ｓ１に沿ってプラテンユニット３０が前方に引き出される。この後は、伸び切った前後の複合リンク７１、７２と、プラテンユニット３０とによって、４節の平行リンク機構が構成された状態になる。このとき、上カバー３６の下端縁から下カバー３５がほぼ半分の長さまで引き出されている。
【００５９】
すなわち、前側の第１複合リンク７１の第１リンク５１の上端面が上側の第２リンク５２の下端に形成した掛止片に当接し、第１複合リンク７１は伸び切った直線状態に保持される。したがって、当該第１複合リンク７１に第５リンク５５によって連結されている後側の第２複合リンク７２も伸び切った状態に保持され、これら２本の固定リンク長のリンクとプラテンユニット３０とによって４節の平行リンク機構が構成される。この後は、前後の複合リンク７１、７２によって規定される円弧状の第２移動軌跡Ｓ２（例えば、後側の軸端部４４ａ、第６ピン節点６６の描く移動軌跡）に沿ってプラテンユニット３０はその姿勢を維持した状態で前方のプラテン開き位置３０Ｂまで引き出される。
【００６０】
図９は６節リンク機構４２が４節の平行リンク機構の状態でプラテンユニット３０を前方に移動させていく状態（プラテン開き位置３０Ｂの手前まで開いた状態）を示す説明図である。前後の複合リンク７１、７２は伸び切った状態（最大のリンク長の状態）で前方に旋回するので、曲率半径の大きな円弧状の第２移動軌跡Ｓ２に沿ってプラテンユニット３０が前方に移動する。したがって、その下側に位置するロール紙１２などに干渉することなくプラテンユニット３０を手前側のプラテン開き位置３０Ｂまで引き出すことができる。
【００６１】
また、このとき、開閉蓋４は、複合リンク７１よりもプリンター前方にある第１回転中心軸線Ａを中心として前方に旋回する。この移動においては、プラテンユニット３０に対する複合リンク７１の傾きが増大するのに伴い、上カバー３６の下カバー３５に対するスライド量が更に増大して、開閉蓋４の全体としての長さが更に増大してゆく。
【００６２】
図１０には開き位置まで引き出された状態のプラテンユニットおよび開閉蓋を示してある。このとき、開閉蓋４は、開き位置４Ｂにおいて、開口部３の下縁部分からプリンター前方に向かって横向きに倒れた状態となっており、この開き位置４Ｂにおいて、下カバー３５と上カバー３６はプリンター本体フレーム３１の底板３２とほぼ同一方向に横向きに延びている。そして、上カバー３６の上にプラテンユニット３０が載った状態となっている。この状態では、下カバー３５の大部分が上カバー３６から引き出されており、上カバー３６の下カバー３５に対するスライド量が最も大きくなっている。
【００６３】
図１０に示すプラテン開き位置３０Ｂからプラテンユニット３０をプラテン閉じ位置３０Ａに戻す場合には、上記とは逆の操作を行えばよい。ここで、６節リンク機構４２においては、プラテンユニット３０の支軸４４の軸端部４４ａがプラテンユニットガイド溝４３から前方に外れた後には、それまでに比べて、６節リンク機構４２の各リンクの姿勢が不安定となりやすい。このため、第２移動軌跡Ｓ２に沿って移動するプラテンユニット３０はその姿勢が上下に振れやすく、プラテンユニット３０をプラテン開き位置３０Ｂからプラテン閉じ位置３０Ａに戻す際に、軸端部４４ａをプラテンユニットガイド溝４３にスムーズに戻せない場合がある。
【００６４】
そこで、このような不具合の発生を防止するために、６節リンク機構４２には、プラテンユニット３０が第２移動軌跡Ｓ２上にある場合に、複合リンク７１、７２を伸び切った状態に保持するための保持機構が設けられている。この保持機構は、第１複合リンク７１の第３ピン節点６３と第５ピン節点６５の間隔、および、第４ピン節点６４と第６ピン節点６６の間隔を最大間隔に保持可能に構成されている。このような保持機構としては、例えば、第１複合リンク７１あるいは第２複合リンク７２の各ピン設定を所定の方向に付勢するコイルばねや、伸縮リンクおよび円弧状ガイド溝からなる機械的掛合により第１複合リンク７１あるいは第２複合リンク７２を伸び切った状態に保持する機構などを用いることができる。
【００６５】
本例では、以上のように、伸縮可能な（折り曲げ可能な）前後の複合リンク７１、７２を用いて６節リンク機構４２を構成しており、プラテンユニット３０がプラテン閉じ位置３０Ａにある状態においては、プラテンユニット３０とロール紙収納部７に収納されたロール紙１２との隙間が少なくて済む。特に、新たなロール紙１２に交換した後においては、プラテンユニット３０とロール紙１２の隙間が少ない。また、上記のように、前側の第１複合リンク７１の第１、第２リンク５１、５２は、ロール紙１２の前側において当該ロール紙１２の円弧に沿った状態に配置されており、これらの隙間も狭く、当該ロール紙１２が前方に移動すると、その両端縁が第１、第２リンク５１、５２に当たる。
【００６６】
したがって、ロール紙収納部７に収納されているロール紙１２には、狭い隙間で、上側からプラテンユニット３０が対峙しており、前側からは第１複合リンク７１が対峙している。よって、ロール紙１２をロール紙収納部７にセットした状態で、ロール紙プリンター１を天地逆転させた場合においてもロール紙１２が殆ど移動しないので、安定した状態でロール紙収納部７内に保持できるというロール紙保持効果も得られる。
【００６７】
また、本例では、下カバー３５と上カバー３６を相対的にスライド可能に連結して開閉蓋４を構成している。これにより、プラテンユニット３０の移動に追従させて開閉蓋４を伸縮させながら旋回させることができる。そして、このとき、開閉蓋４の上端（上カバー３６の上端）と記録紙排出ガイド５との間に隙間を形成せず、開閉蓋４の下端（下カバー３５の下端）と開口部３の下縁部分との間にも隙間を形成しないようにすることができる。更に、本例では、開閉蓋４を下カバー３５と上カバー３６の２部材によって構成しており、開閉蓋４の開閉支点を下カバー３５の下端としている。従って、開閉蓋フレームをカバー部材と別に設け、開閉蓋フレームの外側にカバー部材を取り付けて支持させる構成と比較して、構成がシンプルで部品点数が少ない上に、開き位置４Ｂにおける開閉蓋４の開き角度を大きくすることができるという効果も得られる。
【符号の説明】
【００６８】
１…ロール紙プリンター、２…プリンターケース、３…開口部、４…開閉蓋、４Ａ…閉じ位置、４Ｂ…開き位置、５…記録紙排出ガイド、５ａ…操作片、６…記録紙排出口、７…ロール紙収納部、８ａ…電源スイッチ、８ｂ…動作状態表示ランプ、９…インクカートリッジ装着部、１０…インクカートリッジ、１１…ロール紙受け皿、１２…ロール紙、１３…記録紙、１４…繰り出しローラー、１５…テンションローラー、１６…プラテン、１７…印刷ヘッド、１７ａ…ノズル面、１８…ヘッドキャリッジ、１９…ガイド軸、２０…駆動ローラー、２１…従動ローラー、２２…排紙駆動ローラー、２３…排紙従動ローラー、２５…記録紙切断機構、２５ａ…固定刃、２５ｂ…可動刃、２６…プラテンフレーム、３０…プラテンユニット、３０Ａ…プラテン閉じ位置（第１位置）、３０Ｂ…プラテン開き位置（第２位置）、３１…プリンター本体フレーム、３２…底板、３３、３４…内側側板、３５…下カバー、３５ａ…前板部、３５ｂ、３５ｃ…側板部、３５ｄ、３６ｅ…支持ピン、３６…上カバー、３６ａ…前板部、３６ｂ、３６ｃ…取付部、３７ａ、３７ｂ…スライド部、３８ａ、３８ｂ…スライド溝、３９…回転軸、４０…プラテン支持機構、４１…ガイド機構、４２…６節リンク機構、４３…プラテンユニットガイド溝、４３ａ…位置決め用ガイド溝部分、４３ｂ…直線状ガイド溝部分、４３ｃ…傾斜ガイド面、４４…支軸、４４ａ…軸端部、５１…第１リンク、５２…第２リンク、５３…第３リンク、５４…第４リンク、５５…第５リンク、６１…第１ピン節点、６２…第２ピン節点、６３…第３ピン節点、６４…第４ピン節点、６５…第５ピン節点、６６…第６ピン節点、７１…第１複合リンク、７２…第２複合リンク、Ａ…第１回転中心軸線、Ｂ…基準線、Ｃ…第２回転中心軸線、Ｓ１…第１移動軌跡、Ｓ２…第２移動軌跡
【図１】
2011143600.tif 000003
【図２】
2011143600.tif 000004
【図３】
2011143600.tif 000005
【図４】
2011143600.tif 000006
【図５】
2011143600.tif 000007
【図６】
2011143600.tif 000008
【図７】
2011143600.tif 000009
【図８】
2011143600.tif 000010
【図９】
2011143600.tif 000011
【図１０】
2011143600.tif 000012
【図１１】
2011143600.tif 000013